(57)【要約】【課題】ディスプレイをスライド可能な構造として、ディスプレイへの配線をまとめつつ、ディスプレイのスライド時に、配線が邪魔になるのを防止しながら速やかに移動する。【解決手段】黒板装置は、黒板部１と、黒板部１の主面１Ａ上に摺動自在に装着されたディスプレイ部２と、ディスプレイ部２を収納するカバー部４と、一端をディスプレイ部２に、他端をカバー部４内に固定したケーブル６と、ケーブル６を被覆するケーブルドラグチェーン５と、黒板部１の上部に設けられて、ケーブルドラグチェーン５を案内するためのガイド部７と、カバー部４内に設けられてケーブルドラグチェーン５をかけるガイドプーリー８とを備える。黒板装置は、カバー部４内で余分なケーブルドラグチェーン５がガイドプーリー８から垂れるように構成しており、ディスプレイ部２の移動に応じて必要な分のケーブルドラグチェーン５が引き出され、あるいは垂れるように構成している。【選択図】図１
2013202959.tif 000002
【特許請求の範囲】
【請求項１】
黒板部(1)と、
前記黒板部(1)の主面(1A)上に摺動自在に装着されたディスプレイ部(2)と、
前記ディスプレイ部(2)を収納するため、前記黒板部(1)の主面(1A)上の一部に設けられたカバー部(4)と、
一端を前記ディスプレイ部(2)に固定すると共に、他端を前記カバー部(4)内の所定の位置に固定させており、前記ディスプレイ部(2)が前記黒板部(1)の主面(1A)上を摺動可能な長さとしたケーブル(6)と、
前記ケーブル(6)を被覆するケーブルドラグチェーン(5)と、
前記黒板部(1)の上部に設けられた、前記ケーブルドラグチェーン(5)を案内するためのガイド部(7)と、
前記カバー部(4)内に設けられた、前記ケーブルドラグチェーン(5)をかけるためのガイドプーリー(8)と、
を備える黒板装置であって、
前記ケーブルドラグチェーン(5)を前記ガイドプーリー(8)にかけた状態で、前記カバー部(4)内で余分なケーブルドラグチェーン(5)が垂れるように構成されており、
前記ディスプレイ部(2)の移動に応じて必要な分のケーブルドラグチェーン(5)が引き出され、あるいは垂れるように構成されてなることを特徴とする黒板装置。
【請求項２】
請求項１に記載の黒板装置であって、
前記ガイド部(7)が、前記黒板部(1)の上端に沿って設けられたガイド溝(41)を備えており、
前記ディスプレイ部(2)を移動させる状態において、前記ケーブルドラグチェーン(5)を前記ガイド溝(41)に沿って移動させるようにしてなることを特徴とする黒板装置。
【請求項３】
請求項２に記載の黒板装置であって、
前記ケーブルドラグチェーン(5)が、線状に連結してなる多数のピース(50)で構成されており、
各々のピース(50)は、前記ケーブルドラグチェーン(5)の延長方向に延びるスライド凸部(56)を外周面に備えており、該スライド凸部(56)を前記ガイド溝(41)の内面に摺動させて、前記ケーブルドラグチェーン(5)を前記ガイド溝(41)に沿って移動させるようにしてなることを特徴とする黒板装置。
【請求項４】
請求項１から３のいずれか一に記載の黒板装置であって、
前記ガイドプーリー(8)が、前記ディスプレイ部(2)を設けた平面よりも後側に配置されてなることを特徴とする黒板装置。
【請求項５】
請求項１から４のいずれか一に記載の黒板装置であって、
前記黒板部(1)の上面に、ガイドレール(20)を備えており、
前記ディスプレイ部(2)は、前記ガイドレール(20)に配置されるガイドローラー(15)を固定しており、
前記ディスプレイ部(2)を前記ガイドレール(20)に懸吊して、前記ガイドレール(20)に沿って摺動可能に構成してなることを特徴とする黒板装置。
【請求項６】
請求項１から５のいずれか一に記載の黒板装置であって、
前記ケーブルドラグチェーン(5)が、線状に連結してなる多数のピース(50)で構成されており、
各々のピース(50)は、
断面視を正方形状とした角パイプ状のピース本体(51)と、
前記ピース本体(51)の対向する側面(52)の一端から、一方向に突出された一対の突出片(53)と、
前記ピース本体(51)の側面(52)の略中央にそれぞれ設けられた本体側係止部(54)と、
前期一対の突出片(53)の先端部にそれぞれ設けられた、前記本体側係止部(54)と係止可能な片側係止部(55)と、
を備えており、
前記本体側係止部(54)の内、対向する面に設けられた一対の本体側係止部(54)は、他のピース(50)の片側係止部(55)と折曲自在に係止可能としており、
さらに、前記一対の本体側係止部(54)と直交する面に設けられた他の一対の本体側係止部(54)も、他のピース(50)の片側係止部(55)と折曲自在に係止可能としてなることを特徴とする黒板装置。
【請求項７】
請求項６に記載の黒板装置であって、
前記ガイド部(7)が、前記黒板部(1)の上端に沿って設けられたガイド溝(41)を備えており、
前記ディスプレイ部(2)を移動させる状態において、前記ケーブルドラグチェーン(5)を前記ガイド溝(41)に沿って移動させるようにしており、
さらに、前記ガイド溝(41)に配置される前記ケーブルドラグチェーン(5)を構成する各々のピース(50)は、ディスプレイ部(2)側にピース本体(51)が位置して、カバー部(4)側に突出片(53)が位置する配列としてなることを特徴とする黒板装置。
【請求項８】
ケーブルドラグチェーン(5)を構成するピースであって、
断面視を正方形状とした角パイプ状のピース本体(51)と、
前記ピース本体(51)の対向する側面(52)の一端から、一方向に突出された一対の突出片(53)と、
前記ピース本体(51)の側面(52)の略中央にそれぞれ設けられた本体側係止部(54)と、
前期一対の突出片(53)の先端部にそれぞれ設けられた、前記本体側係止部(54)と係止可能な片側係止部(55)と、
を備えており、
前記本体側係止部(54)の内、対向する面に設けられた一対の本体側係止部(54)は、他のピース(50)の片側係止部(55)と折曲自在に係止可能としており、
さらに、前記一対の本体側係止部(54)と直交する面に設けられた他の一対の本体側係止部(54)も、他のピース(50)の片側係止部(55)と折曲自在に係止可能としてなることを特徴とするケーブルドラグチェーン用ピース。
【請求項９】
請求項８に記載のケーブルドラグチェーン用ピースであって、
前記ピース本体(51)が、前記側面(52)を切断ライン(59)で軸方向に切断しており、該切断ライン(59)で前記側面(52)を開いて、前記ピース本体(51)の内部にケーブル(6)を収納するようにしてなることを特徴とするケーブルドラグチェーン用ピース。
【発明の詳細な説明】
【技術分野】
【０００１】
本発明は、ディスプレイなどの表示手段を設けた黒板装置と、この表示手段に接続するケーブル類をまとめるためのケーブルドラグチェーン用ピースに関する。
【背景技術】
【０００２】
図２８に示すように、黒板８１にスクリーン８２を設け、このスクリーン８２上にプロジェクタ８３で画像を投影可能とした黒板装置は開発されている（特許文献１参照）。
この方式では、黒板８１から離間させた位置にプロジェクタ８３を配置する必要があり、設置の手間がかかる。そこで、図２９に示すように黒板９１上に平面型大画面テレビのようなディスプレイ９２を直接配置して、ディスプレイ９２をスライド式に黒板９１上を摺動自在に装着する構成が提案されている。この方式であれば、必要時にのみディスプレイ９２を引き出して使用し、非使用時にはカバー９４に収納することで、設置作業の手間を大幅に簡略化した使いやすいインタラクティブボードが実現できる。
しかしながら、ディスプレイ９２には、駆動用の電源コード９６Ａや映像ソース信号用の信号ライン９６Ｂ、あるいはＴＶチューナーの場合はＴＶ信号線９６Ｃ、ネットワーク接続する場合はＬＡＮケーブル９６Ｄといった、多くのケーブル９６を接続する必要がある。この場合、ディスプレイ９２をスライド式とすると、ディスプレイ９２の移動範囲を考慮して長めの配線を行う必要があり、配線の余裕によってスライド時に邪魔となり、ディスプレイを移動させる戸車９３に噛み込んだり、あるいは垂れたケーブル９６に引っかかるなどの懸念があった。
【先行技術文献】
【特許文献】
【０００３】
【特許文献１】特開２０１０−１５５４０１号公報
【特許文献２】国際特許出願公開第ＷＯ０９／０７５０６９号
【発明の概要】
【発明が解決しようとする課題】
【０００４】
ところで、多数のケーブルを配線する場合において、これらのケーブルを束ねるためのケーブルドラグチェーンが開発されている（例えば特許文献２参照）。
このケーブルドラグチェーンは図３０に示すように複数のピース８５を折曲自在に連結して、内部にケーブル８６を通すことで、ケーブル８６をまとめつつこれを保護し、また折曲方向や折曲範囲を制限して、多数のケーブル８６をまとめながら、また保護しながら配線できる。
【０００５】
ただ、以上のケーブルドラグチェーンは、多数のピースを一方向にのみ折曲できるように連結しているので、多種多様な用途や自由度が求められる用途においては、必ずしも便利に使用できない問題点があった。
また、以上の構造のケーブルドラグチェーンは、その延長方向において、互いに隣接するピース同士を各々の両端部で連結するので、その連結部においてはスムーズに折曲できる反面、ケーブルドラグチェーンをその延長方向に移動させる用途においては、必ずしもスムーズに移動できない場合があった。例えば、ケーブルドラグチェーンの端部を押して移動させようとすると、中間部分が折曲されて、蛇行する等の問題点があった。
【０００６】
本発明は、従来のこのような問題点を解決するためになされたものである。本発明の主な目的は、ケーブル類をまとめることが可能な黒板装置及びこれに用いるケーブルドラグチェーン用ピースを提供することにある。
また、本発明の他の目的は、ディスプレイをスライド可能な構造として、ディスプレイへの配線をまとめつつ、ディスプレイのスライド時に、これらの配線が邪魔になるのを防止しながら、ディスプレイを速やかに移動できる黒板装置及びこれに用いるケーブルドラグチェーン用ピースを提供することにある。
【課題を解決するための手段及び発明の効果】
【０００７】
本発明の第１の側面に係る黒板装置によれば、黒板部１と、この黒板部１の主面１Ａ上に摺動自在に装着されたディスプレイ部２と、ディスプレイ部２を収納するため、黒板部１の主面１Ａ上の一部に設けられたカバー部４と、一端をディスプレイ部２に固定すると共に、他端をカバー部４内の所定の位置に固定させており、ディスプレイ部２が黒板部１の主面１Ａ上を摺動可能な長さとしたケーブル６と、ケーブル６を被覆するケーブルドラグチェーン５と、黒板部１の上部に設けられて、ケーブルドラグチェーン５を案内するためのガイド部７と、カバー部４内に設けられて、ケーブルドラグチェーン５をかけるためのガイドプーリー８とを備えている。黒板装置は、ケーブルドラグチェーン５をガイドプーリー８にかけた状態で、カバー部４内で余分なケーブルドラグチェーン５が垂れるように構成しており、ディスプレイ部２の移動に応じて必要な分のケーブルドラグチェーン５が引き出され、あるいは垂れるように構成している。
上記構成により、ケーブルドラグチェーンでケーブルを保護でき、またガイドプーリーでケーブルドラグチェーンをカバー部内に案内して、垂れたケーブルガイドチェーンがディスプレイ部の移動の邪魔とならず、また外部に表出させずに見栄えを改善できる。
【０００８】
本発明の第２の側面に係る黒板装置によれば、ガイド部７が、黒板部１の上端に沿って設けられたガイド溝４１を備えて、ディスプレイ部２を移動させる状態において、ケーブルドラグチェーン５をガイド溝４１に沿って移動させることができる。
上記構成により、ケーブルドラグチェーンを黒板部の上端に設けたガイド溝に配置することで、ケーブルガイドチェーンを前面から見えない構造としながら、ディスプレイ部の移動の邪魔になるのを有効に防止できる。
【０００９】
本発明の第３の側面に係る黒板装置によれば、ケーブルドラグチェーン５が、線状に連結してなる多数のピース５０で構成されており、各々のピース５０は、ケーブルドラグチェーン５の延長方向に延びるスライド凸部５６を外周面に備えて、このスライド凸部５６をガイド溝４１の内面に摺動させて、ケーブルドラグチェーン５をガイド溝４１に沿って移動させることができる。
上記構成により、スライド凸部をガイド溝の内面に接触させてながらケーブルドラグチェーンを移動できるので、摩擦抵抗を低減してスムーズにスライドできる特徴がある。
【００１０】
本発明の第４の側面に係る黒板装置によれば、ガイドプーリー８を、ディスプレイ部２を設けた平面よりも後側に配置することができる。
上記構成により、ディスプレイ部をカバー部内に収納させても、ガイドプーリーとディスプレイ部が干渉する事態を避けることができる。
【００１１】
本発明の第５の側面に係る黒板装置によれば、黒板部１の上面に、ガイドレール２０を備えて、ディスプレイ部２は、ガイドレール２０に配置されるガイドローラー１５を固定しており、ディスプレイ部２をガイドレール２０に懸吊して、ガイドレール２０に沿って摺動可能に構成することができる。
上記構成によって、ディスプレイ部を黒板部の上面に懸吊して移動させることができる。
【００１２】
本発明の第６の側面に係る黒板装置によれば、ケーブルドラグチェーン５が、線状に連結してなる多数のピース５０で構成されており、各々のピース５０は、断面視を正方形状とした角パイプ状のピース本体５１と、ピース本体５１の対向する側面５２の一端から、一方向に突出された一対の突出片５３と、ピース本体５１の側面５２の略中央にそれぞれ設けられた本体側係止部５４と、一対の突出片５３の先端部にそれぞれ設けられた、本体側係止部５４と係止可能な片側係止部５５とを備えており、本体側係止部５４の内、対向する面に設けられた一対の本体側係止部５４は、他のピース５０の片側係止部５５と折曲自在に係止可能としており、さらに、一対の本体側係止部５４と直交する側面５２に設けられた他の一対の本体側係止部５４も、他のピース５０の片側係止部５５と折曲自在に係止可能としている。
上記構成により、ピース同士を連結して、所定の面内でのみ折曲可能とすると共に、連結する片側係止部と本体側係止部の連結方向を９０度回転させることで、折曲自在な方向を、第一面と直交する第二面に変更することができる。このように、折曲自在な方向を所望の部位で変更できるので、折曲方向の規制を容易に行うことができる。
【００１３】
本発明の第７の側面に係る黒板装置によれば、ガイド部７が、黒板部１の上端に沿って設けられたガイド溝４１を備えており、ディスプレイ部２を移動させる状態において、ケーブルドラグチェーン５をガイド溝４１に沿って移動させるようにしており、さらに、ガイド溝４１に配置されるケーブルドラグチェーン５を構成する各々のピース５０は、ディスプレイ部２側にピース本体５１が位置して、カバー部４側に突出片５３が位置する配列とすることができる。
上記構成により、ケーブルドラグチェーンは、ディスプレイ部側のピースが押される状態で、進行方向側に連結されたピースのピース本体を突出片で押圧するので、進行方向側に連結されたピースは、ピース本体の重心に近い部分が突出片で押圧される状態となってて、直線状に保持された状態で速やかにスライドできる。
【００１４】
本発明の第８の側面に係るケーブルドラグチェーン用ピースによれば、ケーブルドラグチェーン５を構成するピースであって、断面視を正方形状とした角パイプ状のピース本体５１と、ピース本体５１の対向する側面５２の一端から、一方向に突出された一対の突出片５３と、ピース本体５１の側面５２の略中央にそれぞれ設けられた本体側係止部５４と、各突出片５３の略中央にそれぞれ設けられた、本体側係止部５４と係止可能な片側係止部５５とを備えて、本体側係止部５４の内、対向する面に設けられた一対の本体側係止部５４は、他のピース５０の片側係止部５５と折曲自在に係止可能として、さらに、一対の本体側係止部５４と直交する側面５２に設けられた他の一対の本体側係止部５４も、他のピース５０の片側係止部５５と折曲自在に係止可能としている。
上記構成により、ケーブルドラグチェーン用ピース同士を連結して、所定の第一面内でのみ折曲可能とすると共に、連結する片側係止部と本体側係止部とを、連結方向を軸として９０度回転させることで、折曲自在な方向を、第一面と直交する第二面に変更することが可能となる。このように、折曲自在な方向を所望の部位で変更できるので、折曲方向の規制を容易に行える利点が得られる。
【００１５】
本発明の第９の側面に係るケーブルドラグチェーン用ピースによれば、ピース本体５１が、側面５２を切断ライン５９で軸方向に切断し、この切断ライン５９で側面５２を開いて、ピース本体５１の内部にケーブル６を収納することがでいる。
上記構成により、ピース本体を側面の切断ラインで開いて、ピースの内部に、簡単かつ容易にケーブルを収納し、また取り出しできる。
【図面の簡単な説明】
【００１６】
【図１】本発明の一実施の形態に係る黒板装置の正面図である。
【図２】図１に示す黒板装置の垂直横断面図である。
【図３】図１に示す黒板装置の平面図である。
【図４】図２に示す黒板装置の黒板部とディスプレイ部との連結構造を示す拡大断面図である。
【図５】図４に示す連結構造の要部拡大断面図である。
【図６】図５に示すガイドローラーの垂直縦断面図である。
【図７】ケーブルドラグチェーンの外観を示す斜視図である。
【図８】本発明の一実施例にかかるケーブルドラグチェーン用ピースの平面図である。
【図９】図８のピースの正面図である。
【図１０】図８のピースの左側面図である。
【図１１】図８のピースの右側面図である。
【図１２】図８のピースの底面図である。
【図１３】図８のピースのＡ−Ａ線断面図である。
【図１４】図８のピースのＢ−Ｂ線断面図である。
【図１５】図８のピースの斜視図である
【図１６】本発明の他の実施例にかかるケーブルドラグチェーン用ピースの平面図である。
【図１７】図１６のピースの正面図である。
【図１８】図１６のピースの左側面図である。
【図１９】図１６のピースの右側面図である。
【図２０】図１６のピースの底面図である。
【図２１】図１６のピースのＡ−Ａ線断面図である。
【図２２】図１６のピースのＢ−Ｂ線断面図である。
【図２３】互いに連結されるピースの第１の連結状態を示す分解斜視図である。
【図２４】互いに連結されるピースの第１の連結状態を示す正面図である。
【図２５】互いに連結されるピースの第２の連結状態を示す分解斜視図である。
【図２６】ガイド部にケーブルドラグチェーンを配置する一例を示す斜視図である。
【図２７】ガイド部にケーブルドラグチェーンを配置する他の一例を示す斜視図である。
【図２８】従来のプロジェクタで黒板上に投影する様子を示す模式図である。
【図２９】黒板上にディスプレイをスライド自在に装着した状態を示す模式図である。
【図３０】従来のケーブルドラグチェーン５の一例を示す正面図である。
【発明を実施するための形態】
【００１７】
以下、本発明の実施の形態を図面に基づいて説明する。ただし、以下に示す実施の形態は、本発明の技術思想を具体化するための、黒板装置及びこれに用いるケーブルドラグチェーンを例示するものであって、本発明は、黒板装置及びケーブルドラグチェーンを以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００１８】
本発明の実施例１に係る黒板装置を、図１〜図６に基づいて説明する。これらの図において、図１は本発明の実施例１に係る黒板装置１００の正面図を、図２は図１に示す黒板装置１００の垂直横断面図を、図３は図１に示す黒板装置１００の平面図を、図４は図２に示す黒板装置の黒板部とディスプレイ部との連結構造を示す拡大断面図を、図５は図４に示す連結構造の要部拡大断面図を、図６は図５に示すガイドローラーの垂直縦断面図を、図７はケーブルドラグチェーンの外観を示す斜視図をそれぞれ示している。
なお、本明細書において、前後方向は、黒板部の表面である主面側を「前」とし、黒板部の裏面側を「後」と定義する。
【００１９】
これらの図に示す黒板装置１００は、壁面ＷＬに固定された黒板部１と、黒板部１の主面１Ａに沿って摺動自在に装着されたディスプレイ部２と、ディスプレイ部２を収納するために、黒板部１の主面１Ａ上の一部に設けられたカバー部４と、一端をディスプレイ部２に固定すると共に、他端をカバー部４内の所定の位置に固定して、ディスプレイ部２が黒板部１の主面１Ａ上を摺動可能な長さとしたケーブル６と、このケーブル６を被覆するケーブルドラグチェーン５と、黒板部１の上部に設けられて、ケーブルドラグチェーン５を案内するためのガイド部７と、カバー部４内に設けられて、ケーブルドラグチェーン５をかけるためのガイドプーリー８とを備えている。この黒板装置は、ケーブルドラグチェーン５をガイドプーリー８にかけた状態で、カバー部４内で余分なケーブルドラグチェーン５が垂れるように構成しており、ディスプレイ部２の移動に応じて必要な分のケーブルドラグチェーン５がカバー部４から引き出され、あるいはカバー部４内において垂れるように構成している。
（黒板部１）
【００２０】
黒板部１は、板書が可能な主面１Ａを前面に備えるボードである。ボード状の黒板部１は、図１に示すように、水平方向に延長してなる長方形の外形としており、図２に示すように、垂直な姿勢で壁面ＷＬに固定されている。黒板部１は、ユーザーがチョーク等を用いて板書を行うことができる。また、金属製とすることで、マグネット等の磁性体を吸着できる。また、黒板部１には、チョークを使用して描くいわゆる黒板の他、マーカ等を使用して描くホワイトボードを利用することもできる。このように、本明細書においては、「黒板」をホワイトボードも含める概念として使用する。図１に示す黒板部１は、複数の支柱１０を介して壁面ＷＬに固定している。黒板部１は、支柱１０との連結位置を調整して、所定の高さとなるように配置している。
（ディスプレイ部２）
【００２１】
ディスプレイ部２は、黒板部１の主面１Ａに沿って、水平方向（図１において左右方向）に移動する。ディスプレイ部２は、黒板部１に沿って移動する移動体１３と、この移動体１３の前面に固定されたディスプレイ本体１２とからなる。移動体１３は、前面にディスプレイ本体１２を固定する固定フレーム１４とこの固定フレーム１４を黒板部１に沿って移動させるガイドローラー１５、１６とを備えている。固定フレーム１４は、黒板部１の主面１Ａの前方に、主面１Ａから離れて垂直姿勢で配置された２本の垂直フレーム１４Ａとこの２本の垂直フレーム１４Ａの上下を水平方向に連結してなる２本の水平フレーム１４Ｂとからなる。この移動体１３は、固定フレーム１４を黒板部１から離間させることにより、黒板部１を固定フレーム１４で傷つけることなく、また、スムーズに移動できるようにしている。移動体１３は、固定フレーム１４の上端に連結アーム１７を介してガイドローラー１５を連結すると共に、固定フレーム１４の下端には支持アーム１８を介してガイドローラー１６を連結しており、ガイドローラー１５、１６を介して、固定フレーム１４を黒板部１に沿って移動できるようにしている。移動体１３は、固定フレーム１４の上端の両側に連結アーム１７を介してガイドローラー１５を連結しており、ディスプレイ部２を黒板部１の前面側に懸吊する状態で配置している。
【００２２】
ディスプレイ本体１２は、大画面液晶ディスプレイ、プラズマディスプレイ、有機ＥＬ、ＳＥＤ等のＦＥＤ、その他の薄型ディスプレイユニット等を採用できる。ディスプレイ本体１２は、固定フレーム１４の前面に垂直姿勢で固定されて、黒板部１の主面１Ａに対して平行な姿勢で配置される。
【００２３】
さらに、図に示すディスプレイ本体１２は、側縁にハンドル部１９を設けている。図のディスプレイ本体１２は、一方の側縁（図１において左側）の上下の２カ所に握り部を設けてハンドル部１９としている。ユーザーは、このハンドル部１９を把持して、ディスプレイ部２を左右に引いたり押したりできる。このハンドル部１９は、図１の鎖線で示すように、ディスプレイ部２をカバー部４に収納した状態で、カバー部４の挿入口３１から突出する構造としている。この構造は、カバー部４に収納されたディスプレイ部２を外側に引き出す時に、ハンドル部１９を握って、簡単にディスプレイ部２を移動できる。さらに、図３に示すハンドル部１９は、黒板部１の前面から離れて、ディスプレイ本体１２に配置されている。黒板部１と離間させたハンドル部１９はユーザが手で握りやすい。したがって、ユーザは、ハンドル部１９をしっかりと握ることができるため、ハンドル部１９を操作しやすい。以上のディスプレイ部２は、ハンドル部１９を操作することで、固定フレーム１４の上下に連結されたガイドローラー１５、１６を黒板部１に沿って移動させて、移動体１３を略水平に移動させることができる。また、ディスプレイ部２を、不動状態の黒板部１の上部でしっかりと固定できるため、ディスプレイ部２を安定して黒板部１に連結できる。
【００２４】
ただし、本発明は、ディスプレイ部のディスプレイ本体を、以上の薄型ディスプレイユニットに限定しない。ディスプレイ部は、ディスプレイ本体に代わって、投影装置とスクリーン体を備えることもできる。投影装置とスクリーン体を備えるディスプレイ部は、図示しないが、黒板部の前面に配置可能なスクリーン体と、このスクリーン体に投影する投影装置とを備えることができる。スクリーン体は、移動体に連結されて巻き取り式とすることができ、投影装置には、移動体の上端から前方に突出して配置されて、スクリーン体に投影可能な周知のものが利用できる。
（水平移動機構３）
【００２５】
図１〜図５の黒板装置１００は、ディスプレイ部２を黒板部１の主面１Ａに沿って水平姿勢で移動させる水平移動機構３を備えている。この水平移動機構３は、黒板部１の上端に沿って固定されたガイドレール２０と、固定フレーム１４の上端部に連結されて、ガイドレール２０に沿って移動するガイドローラー１５と、固定フレーム１４の下端部に連結されて、黒板部１の主面１Ａに沿って移動するガイドローラー１６とを備えている。
【００２６】
ガイドレール２０は、溝型のレールで、黒板部１の上端に沿って、略水平方向に連続して配置されている。図５と図６のガイドレール２０は、断面形状を上方開口の略コ字状として、黒板部１の上端面に固定している。このガイドレール２０は、底板２０Ａの両側に、垂直に連結してなる一対の側壁２０Ｂを備えており、側壁２０Ｂの上端部を内側に折曲して、対向する折曲片２０Ｃの間にスリット状の開口部２１を設けている。ガイドレール２０の内部には、このガイドレール２０の内面に沿って移動するガイドローラー１５を配置している。
【００２７】
ガイドローラー１５は、ガイドレール２０に沿って移動する本体部２２と、この本体部２２に垂直姿勢で連結されてガイドレール２０内を転動する垂直ローラー２３と、本体部２２に水平姿勢で連結されてガイドレール２０内に配置された水平ローラー２４とを備えている。本体部２２は、垂直姿勢で配置されて、ガイドレール２０のスリット状の開口部２１に沿って移動する垂直プレート２２Ａと、この垂直プレート２２Ａの両端に固定された一対の水平プレート２２Ｂとを備えている。垂直プレート２２Ａは、スリット状の開口部２１の開口幅よりも薄い金属プレートで、ガイドレール２０の開口部２１に沿って垂直姿勢で配置されて、上部をガイドレール２０の上方に突出させている。垂直プレート２２Ａの上部の突出部は、固定フレーム１４を連結する連結部２２ａとしており、連結アーム１７を介して固定フレーム１４の上端に固定している。垂直プレート２２Ａは、ガイドレール２０の内部において、その両面に、回転軸２５を介して垂直ローラー２３を回転自在に連結している。垂直プレート２２Ａは、下端がガイドレール２０の底板２０Ａに接触しないように、垂直ローラー２３で支持されている。水平プレート２２Ｂは、垂直プレート２２Ａの両端に水平姿勢で連結されており、回転軸２６を介して水平ローラー２４を回転自在に連結している。水平ローラー２４の外形は、ガイドレール２０の対向する側壁２０Ｂの内幅とほぼ等しく、あるいはやや小さくしており、水平プレート２２Ｂを側壁２０Ｂの内面に接触しないようにしている。
【００２８】
以上のガイドローラー１５は、水平ローラー２４の外周面をガイドレール２０の側壁２０Ｂの内面に接触または接近する状態で配置することで、垂直プレート２２Ａをガイドレール２０の内幅の中心に配置して、垂直プレート２２Ａがスリット状の開口部２１に接触しないようにしながら、ガイドレール２０の底板２０Ａに沿って転動する垂直ローラー２３を介してガイドレール２０の内部を走行する。ガイドローラー１５は、垂直プレート２２Ａの両面に固定する垂直ローラー２３によって、垂直プレート２２Ａを垂直姿勢に維持しながら、本体部２２の両端の水平プレート２２Ｂに固定された水平ローラー２４によってガイドレール２０の内部をスムーズに走行する。
【００２９】
また、図４に示す移動体１３は、固定フレーム１４の下端部であって、裏面側に突出して、黒板部１の主面１Ａに沿って転動するガイドローラー１６を固定している。図に示す移動体１３は、固定フレーム１４の下端から裏面側に突出する支持アーム１８を設けており、この支持アーム１８に、回転軸２９を介して水平姿勢で回転自在にローラー２８を連結している。ローラー２８は、外周面に、ゴムやプラスチック等の緩衝材を設けており、黒板部１の主面１Ａに沿ってローラー２８を転動させながら、黒板部１の主面１Ａが傷つくのを防止している。移動体１３は、固定フレーム１４の下端の両側にガイドローラー１６を設けており、各々のローラー２８を黒板部１の主面１Ａに当接させて、黒板部１の前面に懸吊された固定フレーム１４を主面１Ａに対して平行な姿勢としている。これにより、ディスプレイ本体１２が前後に傾斜することを防止しながら、ディスプレイ部２を黒板部１の主面１Ａに沿って平行な姿勢で移動できるようにしている。
【００３０】
（カバー部４）
カバー部４は、黒板部１の端部であって、主面１Ａの一部をカバーする状態で設けている。カバー部４は、その前面をディスプレイ部２の前面よりも前方に配置して、黒板部１に沿って移動するディスプレイ部２を収納する収納部３０を内部に設けている。図１〜図３に示すカバー部４は、全体の形状をディスプレイ部２を収納できる大きさの戸袋状としている。カバー部４は、ディスプレイ部２の出入口となる挿入口３１を開口しており、この挿入口３１を通過するよう黒板部１を配置している。カバー部４は、ディスプレイ部２を使用しないときに、ディスプレイ部２を収納して、黒板部１を有効に使用することができ、また、カバー部４に前面４Ａも、表示領域として使用することが可能である。
（ケーブル６）
【００３１】
ケーブル６は、ディスプレイ本体１２に電力や情報信号を供給する。ケーブル６は、一端をディスプレイ本体１２に接続して、他端をカバー部４内の所定の位置に固定している。ケーブル６は、電力を供給する電源コードと、情報信号を供給する信号ラインとを備える。電源コードは、外部電源に接続されて、ディスプレイ本体１２に電力を供給する。信号ラインは、パソコンやプレーヤー、あるいはネットワーク回線に接続されて、映像ソース信号や音声信号、あるいは通信信号等の情報信号を供給し、あるいは、ディスプレイ本体１２から外部に情報信号を出力する。このような信号ラインとして、ＬＡＮケーブルやＨＤＭＩケーブル等のケーブルが使用される。また、ディスプレイ本体がＴＶチューナーの機能を備える場合は、ケーブルとしてＴＶ信号線を接続することもできる。以上のケーブル６は、ディスプレイ部２が黒板部１に沿って移動できる全長を有している。
（ケーブルドラグチェーン５）
【００３２】
ケーブルドラグチェーン５は、ディスプレイ部２への配線である電源コードや信号ラインからなるケーブル６を被覆して、これらをまとめながら収納している。図１の黒板装置１００は、ケーブルドラグチェーン５を、黒板部１の上端縁に沿って配置している。さらに、ケーブルドラグチェーン５は、ディスプレイ部２の移動体１３と連動して、ディスプレイ部２の移動方向に移動できるように、黒板部１の上端縁に沿って設けたガイド部７に配置している。ガイド部７に配置されるケーブルドラグチェーン５は、一端をディスプレイ部２の上部の背面側に配置して、ここから突出するケーブル６をディスプレイ本体１２に接続すると共に、他端をカバー部４の内部の所定の位置に固定している。
【００３３】
ケーブルドラグチェーン５は、図７に示すように、線状に連結してなる多数のピース５０で構成されている。ケーブルドラグチェーン５は、互いに隣接するピース５０同士を特定の方向に折曲できるように連結している。これにより、ケーブルドラグチェーン５は、多数のピース５０が連結された状態において、その連結部において折曲できるようにしている。
（ケーブルドラグチェーン用ピース）
【００３４】
以下、ケーブルドラグチェーン用ピースの構造を、図８〜図１５に基づいて説明する。これらの図において、図８はピースの平面図を、図９は図８に示すピースの正面図を、図１０は図８のピースの左側面図を、図１１は図８のピースの右側面図を、図１２は図８のピースの底面図を、図１３は、図８のピースのＡ−Ａ線断面図を、図１４は図８のピースのＢ−Ｂ線断面図を、図１５は図８のピースの斜視図をそれぞれ示している。
なお、以下の説明において、ピースの軸方向とは、互いに連結されるピースからなるケーブルドラグチェーンの延長方向を意味するものとする。
【００３５】
ケーブルドラグチェーン５を構成する各々のピース５０は、断面視を正方形状とした角パイプ状のピース本体５１と、このピース本体５１の対向する側面５２の一端から、一方向に突出された一対の突出片５３と、ピース本体５１の側面５２の略中央にそれぞれ設けられた本体側係止部５４と、各突出片５３の先端部にそれぞれ設けられた、本体側係止部５４と係止可能な片側係止部５５とを備えている。各々のピース５０は、ピース本体５１と突出片５３と本体側係止部５４と片側係止部５５とをプラスチックで一体的に成形している。
（ピース本体）
【００３６】
図８〜図１５に示すピース本体５１は、横断面形状を正方形とする角パイプ状で、４つの側面５２を備えている。ピース本体５１は、対向する面である第１の側面５２Ａと第３の側面５２Ｃの一端から、ピース本体５１の軸方向に突出する一対の突出片５３を一体成形している。図に示すピース本体５１は、第１の側面５２Ａと第３の側面５２Ｃの一端であって、図において上端の中央部から上方に突出して突出片５３を設けている。図に示す突出片５３は、側面５２よりも幅の狭い板状で、先端部を円弧状に形成している。
（スライド凸部）
【００３７】
さらに、ピース本体５１は、正方形の四隅に位置するコーナー部に、軸方向に延びるスライド凸部５６を設けている。図に示すスライド凸部５６は、ピース本体５１の四隅のコーナーに沿って一体成形して設けている。これらのスライド凸部５６は、互いに隣接する側面５２の境界に沿って設けられている。ピース本体５１の四隅に設けられるスライド凸部５６は、四隅のコーナー部を面取りして湾曲面としている。このように、スライド凸部５６を面取りする構造は、後述するガイド部７であるケーブルガイドレール４０との摩擦抵抗を低減してスムーズにスライドできる特徴がある。図に示すピース本体５１は、四隅に位置してスライド凸部５６を設けているので、４つの側面５２のうち、どの面を下面とする姿勢でケーブルガイドレール４０に配置しても、下面の両側に位置するスライド凸部５６をケーブルガイドレール４０の底面４０Ａに接触させてスムーズにスライドできる。また、側面の上下に位置するスライド凸部５６をケーブルガイドレール４０の側壁４０Ｂの内面に接触させてスムーズにスライドできる。
【００３８】
図に示すスライド凸部５６は、第１の側面５２Ａと第４の側面５２Ｄとの境界に沿って設けられる第１スライド凸部５６Ａと第１の側面５２Ａと第２の側面５２Ｂとの境界に沿って設けられる第２スライド凸部５６Ｂと、第２の側面５２Ｂと第３の側面５２Ｃとの境界に沿って設けられる第３スライド凸部５６Ｃと、第３の側面５２Ｃと第４の側面５２Ｄとの境界に沿って設けられる第４スライド凸部５６Ｄとからなる。ピース本体５１の四隅に設けられるスライド凸部５６は、平面視において、線対称な形状に成形している。第１スライド凸部５６Ａと第４スライド凸部５６Ｄ、及び第２スライド凸部５６Ｂと第３スライド凸部５６Ｃは、図８の平面視において、第２の側面５２Ｂと第４の側面５２Ｄの中点を結ぶ中心線を対称の軸として線対称な形状に成形している。また、第１スライド凸部５６Ａと第２スライド凸部５６Ｂ、及び第３スライド凸部５６Ｃと第４スライド凸部５６Ｄは、図８の平面視において、第１の側面５２Ａと第３の側面５２Ｃの中点を結ぶ中心線を対称の軸として線対称な形状に成形している。
【００３９】
以上の形状のピース５０は、例えば、図５に示すように、第２の側面５２Ｂを下面としてケーブルガイドレール４０内に配置される状態で、左右対象な位置に配置される第２スライド凸部５６Ｂと第３スライド凸部５６Ｃの下端をケーブルガイドレール４０の底面４０Ａに接触させてケーブルガイドレール４０内をスライドする。このように、左右対称な形状で突出するスライド凸部５６の下端を摺動部としてケーブルガイドレール４０内を摺動させることで、多数のピース５０を連結してなるケーブルドラグチェーン５とケーブルガイドレール４０との摩擦抵抗を小さくして、ケーブルドラグチェーン５をケーブルガイドレール４０内でスムーズに摺動できる。また、これと同様に、第４の側面５２Ｄを下面としてケーブルガイドレール４０内に配置する状態においても、第１スライド凸部５６Ａと第４スライド凸部５６Ｄの下端をケーブルガイドレール４０内の底面４０Ａに沿って摺動させてスムーズに摺動できる。さらにまた、第１の側面５２Ａを下面側として、あるいは第３の側面５２Ｃを下面側としてスライドさせる状態においても、第１スライド凸部５６Ａと第２スライド凸部５６Ｂをケーブルガイドレール４０内の底面４０Ａに沿って摺動させて、あるいは、第３スライド凸部５６Ｃと第４スライド凸部５６Ｄをケーブルガイドレール４０内の底面４０Ａに沿って摺動させてスムーズに移動できる。
（収納スペース５８）
【００４０】
さらに、ピース本体５１は、筒部の内部にケーブル６を挿通する収納スペース５８を設けている。ピース本体５１は、この収納スペース５８に所定の本数のケーブル６を収納できる内形としている。さらに、図に示すピース本体５１は、内部の収納スペース５８を区画壁５７で２分割している。図に示すピース本体５１は、第２の側面５２Ｂの内側面と第４の側面５２Ｄの内側面とを区画壁５７で連結している。この区画壁５７は、収納部を２分割して各々の区画部の内形を長方形としている。このように収納スペース５８を複数の空間に分割する構造は、各々の区画部に特定のケーブル６を収納して整理しながら配線できる。ただ、ピースは、必ずしも区画壁を設けて収納スペース５８を複数の区画部に分割する必要はない。
（本体側係止部）
【００４１】
さらに、図８〜図１５に示すピース本体５１は、４つの側面５２の略中央であって、突出片５３を設けた端部と反対側の端部に本体側係止部５４を設けている。図に示す本体側係止部５４は、ここに連結される突出片５３を回動できるように連結する回動軸５４Ａである。図に示す回動軸５４Ａは、ピース本体５１の側面５２に対して垂直姿勢で突出すると共に、先端に突出片５３の抜けを防止するための係止部５４Ｂを設けている。図に示す本体側係止部５４は、突出量をスライド凸部５６の突出量以下としており、本体側係止部５４をケーブルガイドレール４０の内面に接触させることなくスライド凸部５６をケーブルガイドレール４０の内面に接触できるようにしている。４つの側面５２に設けた４つの本体側係止部５４の内、対向する側面５２に設けられた一対の本体側係止部５４は、他のピース５０の突出片５３に設けた片側係止部５５と折曲自在に係止可能としている。
（片側係止部）
【００４２】
さらに、一対の突出片５３は、先端部に、前述の本体側係止部５４を係止する片側係止部５５を設けている。図に示す片側係止部５５は、前述の回動軸５４Ａである本体側係止部５４を嵌入できる円形の連結孔５５Ａとしている。この片側係止部５５は、貫通孔である連結孔５５Ａの内形を、回動軸５４Ａの外形よりも大きくすると共に、回動軸５４Ａの先端に設けた係止部５４Ｂの外形よりも小さくしている。これにより、片側係止部５５と本体側係止部５４を介して連結される突出片５３を、回動できるが抜けないように連結している。ただ、片側係止部は、一部に切欠を設けた、あるいは、一部を切断したリング状とすることもできる。このように切欠部や切断部を設けたリング状の片側係止部は、本体側係止部を簡単に通過させて連結できる特徴がある。
（他の実施例）
【００４３】
以上のピース５０は、ピース本体５１に設ける本体側係止部５４を凸部形状として、突出片５３に設ける片側係止部５５を連結孔５５Ａとしているが、ピースは、図１６〜図２２に示すように、一対の突出片５３の先端部に内側に対向して突出する回動軸５５Ｃを設けて片側係止部５５とし、これを挿入する連結孔５４Ｃからなる本体側係止部５４をピース本体５１の４つの側面５２に設けることもできる。これらの図に示す片側係止部５５である回動軸５５Ｃは、突出片５３に対して垂直姿勢で内側に突出すると共に、先端に側面５２の抜けを防止するための係止部５５Ｄを設けている。このピース５０は、本体側係止部５４である連結孔５４Ｃの内形を、回動軸５５Ｃの外形よりも大きくすると共に、回動軸５５Ｃの先端に設けた係止部５５Ｄの外形よりも小さくしている。これにより、片側係止部５５と本体側係止部５４を介して連結される突出片５３を、回動できるが抜けないように連結している。
（連結構造）
【００４４】
以上の構造のピース５０は、本体側係止部５４と片側係止部５５とを係止して、互いに折曲自在に連結される。とくに、互いに連結されるピース５０同士は、図２３〜図２５に示すように、第一面内で折曲自在に連結され、あるいは、第一面に直交する第二面内で折曲自在に連結される。
（第１の連結状態）
【００４５】
図２３と図２４は、２個のピース５０を折曲自在に連結する第１の連結状態を示している。この図において、一方（図において下側）のピース５０から突出する一対の突出片５３を、他方（図において上側）のピース５０の第１の側面５２Ａと第３の側面５２Ｃに設けた本体側係止部５４に連結している。図において、互いに連結されるピース５０同士は、各々の第１の側面５２Ａ同士及び第３の側面５２Ｃ同士が互いに平行な姿勢となる状態で連結されている。このように連結されるピース５０同士は、一対の突出片５３に設けた片側係止部５５と第１の側面５２Ａ及び第３の側面５２Ｃに設けた本体側係止部５４との連結部分において、回動軸Ｋを中心として互いに回動できる状態で連結される。互いに連結されるピース５０同士は、図の矢印Ａで示すように、突出片５３が連結される回動軸５４Ａ（Ｋ）に対して垂直な面（第一面）内で折曲できるように連結される。
（第２の連結状態）
【００４６】
また、図２５は、２個のピース５０を折曲自在に連結する第２の連結状態を示している。この図において、一方（図において下側）のピース５０から突出する一対の突出片５３を、他方（図において上側）のピース５０の第２の側面５２Ｂと第４の側面５２Ｄに設けた本体側係止部５４に連結している。図において、互いに連結されるピース５０同士は、各々の第１の側面５２Ａ及び第３の側面５２Ｃ同士が互いに直交する姿勢となる状態で連結されている。このように連結されるピース５０同士は、一対の突出片５３に設けた片側係止部５５と第２の側面５２Ｂ及び第４の側面５２Ｄに設けた本体側係止部５４との連結部分において、回動軸Ｋを中心として互いに回動できる状態で連結される。互いに連結されるピース５０同士は、図の矢印Ｂで示すように、突出片５３が連結される回動軸５４Ａ（Ｋ）に対して垂直な面（第二面）内で折曲できるように連結される。
【００４７】
以上のように、互いに連結されるピース同士は、第１の連結状態における折曲面（第一面）と第２の連結状態における折曲面（第二面）とが互いに直交する状態となる。言い換えると、互いに連結されるピース同士は、折曲面の向きを好適な方向に選択しながら連結することができる。以上の構成により、ピース５０同士を連結して、所定の面内でのみ折曲可能とすると共に、連結する片側係止部５５と本体側係止部５４の連結方向を９０度回転させることで、折曲自在な方向を、第一面と直交する第二面に変更することができる。このように、折曲自在な方向を所望の部位で変更できるので、折曲方向の規制を容易に行うことができる。
【００４８】
ここで、互いに折曲されるピース５０同士の最大折曲角αは、ピース本体５１の側面５２に設ける本体側係止部５４の位置と、本体側係止部５４を設けた側面５２の連結端側のスライド凸部５６の間隔と、この本体側係止部５４に連結される突出片５３の横幅とで特定される。本体側係止部５４である回動軸５４Ａを中心として回動する突出片５３の回動角がこれらによって特定されるからである。例えば、図２４に示すように、回動軸５４Ａとピース本体５１の連結端との距離ｄが大きくなると突出片５３の回動角は小さくなり、反対に回動軸５４Ａと連結端との距離ｄを小さくすると突出片５３の回動角は大きくなる。また、本体側係止部５４を設けた側面５２の連結端側のスライド凸部５６の間隔Ｄが小さくなると突出片５３の回動角は小さくなり、反対にスライド凸部５６の間隔Ｄが大きくなると突出片５３の回動角は大きくなる。さらに、本体側係止部５４に連結される突出片５３の横幅ｗが大きくなると突出片５３の回動角は小さくなり、反対に突出片５３の横幅ｗを小さくすると突出片５３の回動角は大きくなる。したがって、各々のピース５０は、これらのことを考慮して最大折曲角αが最適な角度となるように、以上の数値を決定する。互いに連結されるピース５０同士の最大折曲角αは、１５度〜６０度、好ましくは２０度〜５０度、さらに好ましくは２５度ないし４５度となるように設計する。隣接するピース５０同士の折曲角を大きくできるケーブルドラグチェーン５は、曲率半径を小さくしながら湾曲できる。ただ、小さな曲率半径で湾曲させると、収納されるケーブルの負担が大きくなる。したがって、これらのことを考慮して、隣接するピース５０同士の最大折曲角αは、前述の範囲とする。
【００４９】
以上のように、複数のピース５０が互いに連結されてケーブルドラグチェーン５が構成される。筒状のピース５０で構成されるケーブルドラグチェーン５は、ピース５０の一方の開口部から他方の開口部に向かってケーブル６を挿通して収納スペース５８に配線できる。ただ、このようにケーブル６を挿通する方法は、複数のケーブルを全てのピース５０の貫通させるのに手間がかかると共に、メンテナンスの際に、部分的に破損したピースを交換する作業に手間がかかる。図１５に示すピース５０は、上下の開口部からケーブル６を挿通することなく収納スペース５８にケーブル７を挿通できるように、側面５２を部分的に切断して収納スペース５８を開口する切断ライン５９を設けている。図に示すピース本体５１は、第４の側面５２Ｄにおいて、区画壁５７に連結されるを中央部５２ａを両側部５２ｂから切断している。すなわち、図に示すピース本体５１は、第４の側面５２Ｄを中央部５２ａと左右の側部５２ｂとに３分割しており、これらの境界に設けた切断ライン５９を開口して収納スペース５８にケーブル６を挿入できるようにしている。このピース５０は、例えば、図１５において左側に位置する側部５２ｂと第１の側面５２Ａを、中央部５２ａと区画壁５７から離す状態で切断ライン５９を開いて、一方（図において左側）の区画部５８Ａを開口して、内部にケーブル６を収納する。同様に、図１５において右側に位置する側部５２ｂと第３の側面５２Ｃを、中央部５２ａと区画壁５７から離す状態で切断ライン５９で開いて、他方（図において右側）の区画部５８Ａを開口して、内部にケーブル６を収納する。この構造は、簡単にケーブル６を収納し、また取り出しできる。このように、ピース本体５１を側面５２で開いて内部にケーブル６を出し入れするピース本体５１は、弾性を有するプラスチックで成形される。
（ガイド部７）
【００５０】
黒板部１の上端であって、ガイドレール２０の後方には、ガイド部７を設けている。ガイド部７は、ディスプレイ部２に接続されるケーブル６を被覆するケーブルドラグチェーン５を案内するケーブルガイドレール４０である。図５に示すケーブルガイドレール４０は、上方開口の断面コ字状のガイド溝４１を備えている。ケーブルガイドレール４０は、黒板部１の上端に位置して、ガイドレール２０の後方に隣接して設けている。このケーブルガイドレール４０は、図に示すように、ケーブルドラグチェーン５を案内できる内幅と深さに成形している。ケーブルガイドレール４０は、内部にケーブルドラグチェーン５を案内すると共に、黒板部１に沿って移動するディスプレイ部２に連動して、ケーブルドラグチェーン５を軸方向にスライドさせながら移動させる。
（ガイドプーリー８）
【００５１】
ガイドプーリー８は、図１に示すように、カバー部４の内部に設けられており、カバー部４内に収納されるケーブルドラグチェーン５がかけられている。ガイドプーリー８は、黒板部１の主面１Ａと平行な姿勢であって、垂直面内で回転できるように、回転軸３２を介してカバー部４の内部に配置されている。ガイドプーリー８は、上端面がガイド部７であるケーブルガイドレール４０の端縁に接近する位置であって、ケーブルガイドレール４０の端縁よりも下方に位置するように配置している。ガイドプーリー８は、ケーブルガイドレール４０の端縁から引き出されたケーブルドラグチェーン５をかけた状態で、カバー部４内に収納される余分なケーブルドラグチェーン５を自重で垂れ下がらせるように回転する。さらに、ディスプレイ部２が引き出される状態では、垂れ下がったケーブルドラグチェーン５をカバー部４から引き出す方向に回転する。すなわち、ディスプレイ部２の移動に応じて、必要な分のケーブルドラグチェーン５がカバー部４から引き出され、あるいはカバー部４内において垂れるように構成している。
【００５２】
ここで、カバー部４に収納されるケーブルドラグチェーン５はガイドプーリー８に沿って折曲されながら垂れ下がるので、ケーブルドラグチェーン５を構成する多数のピースは、垂直面内で折曲できるように、言い換えると連結部における折曲面が黒板部１の主面１Ａと平行な面となるように連結している。すなわち、ケーブルガイドレール４０の内部に配置されるケーブルドラグチェーン５は、ピース５０の第２の側面５２Ｂまたは第４の側面５２Ｄが下面となる姿勢で配置されている。これにより、カバー部４内に収納された余分な分のケーブルドラグチェーン５は、ガイドプーリー８の外周縁に沿って折曲されながら垂れ下がる状態となって、カバー部４のケーブル収納部３３に収納される。ケーブル収納部３３は、垂れ下がる状態で収納されるケーブルドラグチェーン５が捻れることなく収納できるように、ケーブルドラグチェーン５の横幅とほぼ等しく、あるいはやや大きな内幅としている。さらに、ケーブル収納部３３は、側面と底面を閉塞する構造として、垂れ下がったケーブルドラグチェーン５がカバー部４の外部に垂れるのを防止している。
【００５３】
さらに、黒板装置は、カバー部の内部において、ガイドプーリーから垂れ下がるケーブルドラグチェーンを巻き取り式とすることもできる。ケーブルドラグチェーンを巻き取り式とする黒板装置は、例えば、ディスプレイ部の移動量に応じて、ケーブルドラグチェーンを引き出したり巻き付けたりできる構造として、長いケーブルドラグチェーンであってもスムーズに収納できる。
【００５４】
ところで、ケーブルガイドレール４０に沿って移動するケーブルドラグチェーン５は、ユーザーによって左右に移動されるディスプレイ部２を駆動部として押されて移動し、あるいは引かれて移動する。したがって、ケーブルドラグチェーン５のディスプレイ部２側の端部は、好ましくは、駆動部であるディスプレイ部２に連結される。ケーブルドラグチェーン５は、ディスプレイ部２側の端部を、移動体１３である固定フレーム１４やガイドローラー１５、または連結アーム１７に固定することで、左右に移動されるディスプレイ部２に連動して速やかに移動される。さらに、移動体は、ケーブルドラグチェーンの端部を固定する専用のアームを備えることもできる。
【００５５】
左右に移動するディスプレイ部２に駆動されてケーブルガイドレール４０に沿って移動するケーブルドラグチェーン５は、図１に示すように、ディスプレイ部２に押される状態でスライドしやすいように、ピース本体５１をディスプレイ部２側とする姿勢で配置している。すなわち、ケーブルガイドレール４０のガイド溝４１に配置されるケーブルドラグチェーン５を構成する各々のピース５０は、ディスプレイ部２側にピース本体５１が位置して、カバー部４側に突出片５３が位置する配列としている。この姿勢で配置されるケーブルドラグチェーン５は、ディスプレイ部２側のピース５０が押される状態で、進行方向側に連結されたピース５０のピース本体５１を突出片５３で押圧する。このとき、進行方向側に連結されたピース５０は、ピース本体５１の本体側係止部５４であって、ピース５０の側面５２の略中央部分が突出片５３で押されるので、連結部で折曲されて蛇行することなく、直線状に保持された状態で速やかにスライドする。したがって、ピース５０は、本体側係止部５４である回動軸５４Ａの位置をピース５０の重心に接近させることで、直線状のケーブルドラグチェーン５の端部を押す状態で、ケーブルドラグチェーン５をスムーズにスライドできる。このため、以上のことを考慮して、本体側係止部５４である回動軸５４Ａとピース本体５１の連結端との距離ｄは、ピース本体５１の全長Ｌの１／８〜１／２、好ましくは１／５〜１／２となるように調整される。
【００５６】
以上のように、ガイド部７であるケーブルガイドレール４０に配置されるケーブルドラグチェーン５は、ディスプレイ部２側の端縁においてケーブル６が引き出されて、このケーブル６の先端がディスプレイ本体１２に接続される。ここで、ケーブルガイドレール４０に配置されるケーブルドラグチェーン５は、図２６に示すように、ディスプレイ部２側の端部に配置される１以上のピース５０を、水平面内で折曲できるように、言い換えると連結部における折曲面が水平面となるように連結している。すなわち、ケーブルドラグチェーン５のディスプレイ部２側の端部は、ピース５０の第１の側面５２Ａまたは第３の側面５２Ｃが下面となる姿勢で配置されている。これにより、ディスプレイ部２を駆動部として押されて移動するケーブルドラグチェーン５は、駆動部側の端部に位置するピース５０が垂直面内で折曲されるのが阻止されて、ケーブルドラグチェーン５が蛇行するのを有効に防止できる。
【００５７】
さらに、ケーブルガイドレール４０に配置されるケーブルドラグチェーン５は、図２７に示すように、ディスプレイ部２側に配置される端部を、ケーブルガイドレール４０から引き出して、先端をディスプレイ本体１２の背面側まで延長することもできる。このケーブルドラグチェーン５は、ディスプレイ部２側の端部に配置される複数のピース５０の連結の向きを変えることにより、ケーブルドラグチェーン５の端部の折曲方向を三次元的に変化させている。これにより、ディスプレイ本体１２の近傍までケーブルドラグチェーン５を延長して、多数のケーブル６をまとめながら配線できる。
【産業上の利用可能性】
【００５８】
本発明の黒板装置及びこれに用いるケーブルドラグチェーン用ピースは、黒板部に沿って移動可能なディスプレイなどの表示手段を設けながら、この表示手段に接続するケーブル類をまとめて配置して、ディスプレー等の表示手段の移動と多数のケーブルの配線を機能的にできる。
【符号の説明】
【００５９】
１００…黒板装置
１…黒板部
１Ａ…主面
２…ディスプレイ部
３…水平移動機構
４…カバー部
４Ａ…前面
５…ケーブルドラグチェーン
６…ケーブル
７…ガイド部
８…ガイドプーリー
１０…支柱
１２…ディスプレイ本体
１３…移動体
１４…固定フレーム
１４Ａ…垂直フレーム
１４Ｂ…水平フレーム
１５…ガイドローラー
１６…ガイドローラー
１７…連結アーム
１８…支持アーム
１９…ハンドル部
２０…ガイドレール
２０Ａ…底板
２０Ｂ…側壁
２０Ｃ…折曲片
２１…開口部
２２…本体部
２２Ａ…垂直プレート
２２ａ…連結部
２２Ｂ…水平プレート
２３…垂直ローラー
２４…水平ローラー
２５…回転軸
２６…回転軸
２８…ローラー
２９…回転軸
３０…収納部
３１…挿入口
３２…回転軸
３３…ケーブル収納部
４０…ケーブルガイドレール
４０Ａ…底面
４０Ｂ…側壁
４１…ガイド溝
５０…ピース
５１…ピース本体
５２…側面
５２Ａ…第１の側面
５２Ｂ…第２の側面
５２Ｃ…第３の側面
５２Ｄ…第４の側面
５２ａ…中央部
５２ｂ…側部
５３…突出片
５４…本体側係止部
５４Ａ…回動軸
５４Ｂ…係止部
５４Ｃ…連結孔
５５…片側係止部
５５Ａ…連結孔
５５Ｃ…回動軸
５５Ｄ…係止部
５６…スライド凸部
５６Ａ…第１スライド凸部
５６Ｂ…第２スライド凸部
５６Ｃ…第３スライド凸部
５６Ｄ…第４スライド凸部
５７…区画壁
５８…収納スペース
５８Ａ…区画部
５９…切断ライン
８１…黒板
８２…スクリーン
８３…プロジェクタ
８４…ケーブルドラグチェーン
８５…ピース
８６…ケーブル
９１…黒板
９２…ディスプレイ
９３…戸車
９４…カバー
９６…ケーブル
９６Ａ…電源コード
９６Ｂ…信号ライン
９６Ｃ…ＴＶ信号線
９６Ｄ…ＬＡＮケーブル
ＷＬ…壁面
Ｋ…回動軸
【図１】
2013202959.tif 000003
【図２】
2013202959.tif 000004
【図３】
2013202959.tif 000005
【図４】
2013202959.tif 000006
【図５】
2013202959.tif 000007
【図６】
2013202959.tif 000008
【図７】
2013202959.tif 000009
【図８】
2013202959.tif 000010
【図９】
2013202959.tif 000011
【図１０】
2013202959.tif 000012
【図１１】
2013202959.tif 000013
【図１２】
2013202959.tif 000014
【図１３】
2013202959.tif 000015
【図１４】
2013202959.tif 000016
【図１５】
2013202959.tif 000017
【図１６】
2013202959.tif 000018
【図１７】
2013202959.tif 000019
【図１８】
2013202959.tif 000020
【図１９】
2013202959.tif 000021
【図２０】
2013202959.tif 000022
【図２１】
2013202959.tif 000023
【図２２】
2013202959.tif 000024
【図２３】
2013202959.tif 000025
【図２４】
2013202959.tif 000026
【図２５】
2013202959.tif 000027
【図２６】
2013202959.tif 000028
【図２７】
2013202959.tif 000029
【図２８】
2013202959.tif 000030
【図２９】
2013202959.tif 000031
【図３０】
2013202959.tif 000032